(57)【特許請求の範囲】
【請求項１】
食品を収容する加熱室と、前記加熱室を開閉できるドアと、前記加熱室に形成した検出孔を介して前記加熱室内の食品の温度を検出するための赤外線センサユニットとを含む加熱調理装置であって、
前記赤外線センサユニットは、
前記加熱室の検出孔に対向し、食品から放射される赤外線を受け入れるためのフィルタと、
前記フィルタを介して赤外線をキャッチする赤外線センサと、
前記赤外線センサを囲うセンサケースと、
前記センサケースの前方で前記フィルタを覆うことのできるカバーと、
前記カバーを回動させるフィルタカバー用モータとを備え、
前記フィルタカバー用モータは、前記カバーを回動させて、前記フィルタを覆う第１の状態と、前記フィルタを開放して前記赤外線センサユニットに赤外線の検出を可能とさせる第２の状態とをとることができ、
また、前記ドアが開状態にされた場合に、前記検出孔を介して前記フィルタにユーザの指が触れることを回避するために前記カバーを前記第１の状態とすることを特徴とする加熱調理装置。
【請求項２】
前記加熱調理装置は、電力を供給されることにより、加熱動作が可能となり、
前記カバー制御手段は、前記加熱調理装置への電力の供給が開始されたことに応じて、前記カバーを前記第１の状態に制御する、請求項１に記載の加熱調理装置。
【請求項３】
前記加熱調理装置は、加熱動作を行なうことなく、前記赤外線センサによる温度の検出を実行させるデモモードで運転することができ、
前記カバー制御手段は、前記加熱調理装置が前記デモモードで運転する場合には、前記ドアが開状態にされた場合でも前記カバーを前記第２の状態に制御する、請求項１または請求項２に記載の加熱調理装置。
【発明の詳細な説明】
【０００１】
【発明の属する技術分野】
本発明は、加熱調理装置に関し、特に、安全に加熱調理を実行できる加熱調理装置に関する。
【０００２】
【従来の技術および発明が解決しようとする課題】
従来の加熱調理装置には、赤外線センサを備え、当該赤外線センサに検出させた食品の温度に基づいて自動調理を行なうものがあった。このような加熱調理装置において、赤外線センサには、赤外線をキャッチするためのフィルタが備えられていた。また、加熱室の壁面には、赤外線センサに、食品から放射される赤外線を届けるための検出孔が形成されていた。そして、赤外線センサは、検出孔を介して届けられる赤外線を、フィルタを通してキャッチしていた。なお、従来のこのような加熱調理装置では、赤外線センサのフィルタ部分を覆うカバーが設けられていた。このカバーは、オーブン調理時等の、赤外線センサによる温度検出を行なわない場合であって、食品から油等が飛散するおそれのある場合には、フィルタを覆うよう制御されていた。これにより、フィルタが食品の油等によって汚され、赤外線センサによる温度検出の精度が低下することを回避していた。
【０００３】
しかしながら、上記のカバーは、加熱室が開状態にされている場合、つまり、一般のユーザが加熱室に手を入れることのできる場合、フィルタを覆わないように制御されていた。カバーがこのように制御されると、ユーザの手がフィルタに触れ、手に付着した油脂によりフィルタが汚される、という問題があった。
【０００４】
フィルタが汚れると、食品の温度検出の精度が低下する。このため、自動調理が行なわれた際に、食品が過度に加熱される場合があり、危険である、という問題を生じる。
【０００５】
一方、従来の加熱調理装置には、ヒータのような発熱部材によって、加熱を行なうものがある。このような加熱調理装置において、発熱部材は、加熱室内の食品をまんべんなく加熱できるように、装置の上部に配置されていることが多い。
【０００６】
しかしながら、発熱部材が装置の上部に配置されると、当該発熱部材を用いた加熱が行なわれた場合、装置の上部に熱がこもることになる。なお、熱は、一般的に、上方から下方にに向けて伝導されにくい。このことから、装置の上部に熱が発生しても、その熱は、装置の下部には伝えられにくい。したがって、このようなタイプの加熱調理装置では、装置の上部が、局所的に高温となり、危険である、という問題があった。
【０００７】
本発明は、かかる実情に鑑み考え出されたものであり、その目的は、加熱調理に伴う危険を回避できる加熱調理装置を提供することである。
【０００８】
【課題を解決するための手段】
請求項１に記載の本発明にかかる加熱調理装置は、食品を収容する加熱室と、前記加熱室を開閉できるドアと、前記加熱室に形成した検出孔を介して前記加熱室内の食品の温度を検出するための赤外線センサユニットとを含む加熱調理装置であって、前記赤外線センサユニットは、前記加熱室の検出孔に対向し、食品から放射される赤外線を受け入れるためのフィルタと、前記フィルタを介して赤外線をキャッチする赤外線センサと、前記赤外線センサを囲うセンサケースと、前記センサケースの前方で前記フィルタを覆うことのできるカバーと、前記カバーを回動させるフィルタカバー用モータとを備え、前記フィルタカバー用モータは、前記カバーを回動させて、前記フィルタを覆う第１の状態と、前記フィルタを開放して前記赤外線センサユニットに赤外線の検出を可能とさせる第２の状態とをとることができ、また、前記ドアが開状態にされた場合に、前記検出孔を介して前記フィルタにユーザの指が触れることを回避するために前記カバーを前記第１の状態とすることを特徴とする。
【０００９】
請求項１に記載の発明によると、加熱室のドアが開状態とされている間は、カバーは、フィルタを覆う状態とされる。
【００１０】
これにより、ユーザが、加熱室に手を入れたときにフィルタに触れて、フィルタが汚されることを回避できる。したがって、フィルタが汚されることにより食品の温度検出の精度が低下して、自動調理の際に食品が危険な高温にまで加熱されるような事態を回避できる。
【００１１】
請求項２に記載の本発明にかかる加熱調理装置は、請求項１に記載の発明にかかる加熱調理装置の構成に加えて、前記加熱調理装置は、電力を供給されることにより、加熱動作が可能となり、前記カバー制御手段は、前記加熱調理装置への電力の供給が開始されたことに応じて、前記カバーを前記第１の状態に制御することを特徴とする。
【００１２】
請求項２に記載の発明によると、請求項１に記載の発明による作用に加えて、フィルタのカバーに覆われる時間がより長くなり、より確実に、フィルタが汚されることを回避できる。
【００１３】
請求項３に記載の本発明にかかる加熱調理装置は、請求項１または請求項２に記載の発明にかかる加熱調理装置の構成に加えて、前記加熱調理装置は、加熱動作を行なうことなく、前記赤外線センサによる温度の検出を実行させるデモモードで運転することができ、前記カバー制御手段は、前記加熱調理装置が前記デモモードで運転する場合には、前記カバーを前記第２の状態に制御することを特徴とする。
【００１４】
請求項３に記載の発明によると、請求項１または請求項２に記載の発明による作用に加えて、加熱調理装置が、デモモードで運転される場合には、ユーザが加熱室に手を入れることができるような状況でも、カバーは、フィルタを覆わない状態とされる。デモモードでは、当該装置を専門的に扱う人の下で使用されると考えられるからである。これにより、加熱室に食品を入れれば、カバーがフィルタを覆わない状態へと制御されることを待つことなく、食品の温度を検出を開始できる。したがって、デモモードでの赤外線センサを用いた温度の検出が、より迅速に行なわれる。
【００１５】
【発明の実施の形態】
以下に、本発明の実施の形態を図面に基づいて詳細に説明する。
【００１６】
図１は、本発明の一実施の形態である電子レンジ１００の斜視図である。また、図２は、図１の電子レンジ１００の内部構造を簡略化して示す断面図である。なお、図１においては、電子レンジ１００の内部構造を説明するため、その外郭を覆う外装部２０、および、加熱室１７の上面の図示を省略している。
【００１７】
図１および図２を参照して、電子レンジ１００は、加熱室１７を囲う本体１０の右側方に、赤外線センサユニット１，マグネトロン２２等を備えている。また、加熱室１７の右側面には、検出孔１９が形成されている。そして、赤外線センサユニット１は、食品３１から放射される赤外線２５を、検出孔１９を介して斜め上からキャッチするように配置されている。マグネトロン２２は、加熱室１７内にマイクロ波を供給する。
【００１８】
加熱室１７の上方には、ヒータ８０が備えられている。これにより、電子レンジ１００では、ヒータ８０を用いたオーブン調理が可能である。
【００１９】
本体１０の底には、底板１１が備えられている。そして、底板１１上であってマグネトロン２２の真下には、マグネトロン２２に高電圧を供給するための高圧トランス３３が配置されている。また、本体１０に備えられた冷却ファン３５は、マグネトロン２２または加熱室１７の熱によって温度が上昇したその周辺機器（赤外線センサユニット１を含む）を冷却するために設けられている。
【００２０】
加熱室１７の正面には、ドア１５が取り付けられている。また、その側方には、ユーザが調理メニューを設定するための操作パネル３４が取り付けられている。そして、電子レンジ１００の各機器を統括的に制御する制御部９０が、操作パネル３４の背面に設けられている。なお、制御部９０は、マイクロコンピュータを含む。また、操作パネル３４は、検出された食品３１の温度やユーザから入力された情報等を表示する表示部３を備えている。
【００２１】
加熱室１７の底部には、食品３１を載置するためのターンテーブル１８が備えられ、加熱室１７の底面下方には、ターンテーブル１８を回転させるためのターンテーブルモータ５０５が備えられている。
【００２２】
図３は、図１および図２に示した電子レンジ１００の主要な電気的構成を示すブロック図である。図３を参照して、電子レンジ１００において、制御部９０は、フィルタ用カバーモータ５１と、赤外線センサユニット１と、ターンテーブルモータ５０５と、ヒータ８０と、マグネトロン２２と、操作パネル３４とに接続されている。
【００２３】
電子レンジ１００では、赤外線センサユニット１は、食品３１が放射する赤外線を検出し、制御部９０は、赤外線センサユニット１が検出した赤外線に基づいて、食品３１の温度を決定する。そして、制御部９０は、操作パネル３４に対して行なわれた操作および上述のように決定した温度に基づいて、マグネトロン２２等の動作を制御する。フィルタ用カバーモータ５１は、赤外線センサユニット１内のフィルタ（後述するフィルタ４１）を覆うカバー（後述するフィルタカバー５０）を動作させるためのものであり、その詳細は、後述する。
【００２４】
次に、電子レンジ１００における、本体１０の右側面の構成について説明する。図４は、図１に示した電子レンジ１００の本体１０の右側面図である。また、図５は、本体１０の右側面における赤外線センサユニット１周辺を、電子レンジ１００の正面から見た場合の拡大図である。なお、図４では、赤外線センサユニット１は、その周辺の構造がより容易に理解されるように、一点破線の想像図として示されている。
【００２５】
まず、図４を参照して、マグネトロン２２と本体１０との間には、導波管２３が設けられている。マグネトロン２２が発したマイクロ波は、導波管２３を通って、本体１０の加熱室１７内に放射される。
【００２６】
また、マグネトロン２２の側方には、ダクト８７の一端が接続されている。なお、ダクト８７の他端は、加熱室１７の吸気孔（図示略）に接続されている。そして、冷却ファン３５からマグネトロン２２に空気が送られると、その空気は、ダクト８７，加熱室１７の吸気孔を介して、加熱室１７内に導かれる。
【００２７】
次に、図４および図５を参照して、赤外線センサユニット１は、本体１０に、加熱室１７の右側面の上部に対応するように、設けられている。赤外線センサユニット１と加熱室１７との間には、検出用管８３が設けられている。検出用管８３の一端にはユニット取付け板８１が接続されている。また、検出用管８３の他端は、加熱室１７に接続されている。そして、赤外線センサユニット１は、ユニット取付け板８１上に取付けられている。なお、ユニット取付け板８１には、複数の通気孔８２が設けられている。これにより、赤外線センサユニット１が、熱を発散しやすくなっている。
【００２８】
検出用管８３には、赤外線センサユニット１に対向する面に、検出孔８５が形成されている。一方、赤外線センサユニット１は、赤外線センサ４５と、赤外線センサ４５を囲うセンサケース４２と、赤外線センサ４５に対応したフィルタ４１を備えている。そして、赤外線センサユニット１では、加熱室１７内で食品により発され、検出孔１９，検出孔８５を通過する赤外線が、フィルタ４１を介して、赤外線センサ４５により検出される。なお、フィルタ４１の前方には、フィルタ４１を覆うことのできるフィルタカバー５０が備えられている。
【００２９】
また、検出用管８３の上面および下面には、複数の通気孔８４が形成されており、冷却ファン３５から空気が送られると、その空気は、下面の通気孔８４から上面の通気孔８４へ、フィルタ４１と加熱室１７との間を吹き抜けるように流れる。これにより、加熱室１７内の食品の発した油煙が、フィルタ４１に付着することを極力回避できる。
【００３０】
ここで、赤外線センサユニット１の構成について説明する。
図６に、赤外線センサユニット１の正面図を示す。赤外線センサユニット１では、センサケース４２の前部に、フィルタ４１を覆うことのできるフィルタカバー５０が備えられている。フィルタカバー５０は、センサケース４２の後方で、フィルタ支持部５２により支持されている。赤外線センサユニット１には、フィルタカバー用モータ５１が設けられ、フィルタカバー用モータ５１が駆動することにより、フィルタカバー５０が図の矢印Ｒ方向に適宜回動される。フィルタカバー５０は、図６に示すようなフィルタ４１を開放する状態（開状態）と、矢印Ｒ方向に回動して、図７に示すようなフィルタ４１を覆う状態（閉状態）とをとることができる。フィルタカバー５０は、赤外線センサユニット１が温度を検出する状態にある場合には、図６に示す状態に制御され、赤外線センサユニット１が温度を検出しない状態にある場合には、図７に示す状態に制御される。
【００３１】
図８に、センサケース４２の分解正面図を示す。センサケース４２は、主に、ケース上体４３とケース下体４４とから構成される。なお、赤外線センサ４５（図４参照）は、ケース下体４４に載置されているが、図８では省略されている。ケース上体４３の側面には、一部切込みを入れられることにより、窓４６が形成されている。そして、窓４６の左右側であってケース上体４３の内側には、フィルタ４１の左右端を差込むための差込部４７が形成されている。一方、ケース下体４４の内側には、棒状の凸部であるフィルタ支持部４８が２つ形成されている。
【００３２】
フィルタ上体４３がフィルタ下体４４の上部に組み合わされることにより、センサケース４２が構成される。なお、両者が組み合わされる際に、フィルタ４１の左右両端は、差込部４７に差込まれる。これにより、図９に示すように、センサケース４２において、窓４６から、フィルタ４１が見えるようになる。なお、図９に示すセンサケース４２において、フィルタ４１の下端は、フィルタ支持部４８により支持されている。つまり、センサケース４２において、フィルタ４１は、ケース上体４３とケース下体４４とに挟まれることにより、固定されていることになる。
【００３３】
なお、本実施の形態のセンサケース４２を構成するケース上体４３とケース下体４４は、成形した樹脂に、金属等の電磁波を遮蔽する効果を有する物質をコートすることにより製造することができる。センサケース４２が、主に樹脂より構成されると、その熱伝導性の低さから、内包する赤外線センサ４５の検出精度を向上させることができる。なお、ここでの樹脂へのコーティングとしては、たとえば、Ｎｉ−Ｃｕメッキが挙げられる。また、センサケース４２を構成する樹脂としては、熱伝導性の低い、ＡＢＳ樹脂やＰＣ＋ＡＢＳ樹脂が挙げられる。
【００３４】
また、図７に示すようなフィルタカバー５０の閉状態とは、フィルタ４１および赤外線センサ４５が一体的に構成されている場合であれば、そのいずれもを覆う状態になる。この場合、フィルタカバー５０の開状態とは、そのいずれもを開放する状態になる。
【００３５】
さらに、赤外線センサ４５が、フィルタ４１を必要としないよう構成されている場合には、フィルタカバー５０の開状態とは、赤外線センサ４５のみを覆う状態とされる。そして、この場合、フィルタカバー５０の開状態とは、赤外線センサ４５を開放する状態になる。
【００３６】
次に、電子レンジ１００における外装部２０の構成について説明する。図１０に、電子レンジ１００の左側面図を示す。
【００３７】
図１０を参照して、電子レンジ１００の外装部２０の内壁には、熱伝導板９９が貼り付けられている。熱伝導板９９は、厚さ０．４ｍｍのアルミニウムの板によって構成され、外装部２０の上部から下部にかけて、全体的に、両面テープで貼り付けられている。なお、外装部２０の前方下部には、熱伝導板９９は貼り付けられていない。これは、外装部２０の内壁のこの部分に、ドア１５と接続するための部材であるアームが、取付けられているからである。
【００３８】
熱伝導板９９の材質としては、外装部２０を構成する材質よりも熱伝導率の高いものが用いられる。外装部２０は、たとえばステンレスにより構成される。そして熱伝導板９９の材質は、アルミニウムのほかには、銅等も挙げることができる。電子レンジ１００では、外装部２０の内壁に熱伝導板９９を貼り付けられていることにより、外装部２０の上部の熱を、より速やかに、外装部２０の下部に導くことができる。これにより、電子レンジ１００では、ヒータ８０によって加熱が行なわれた場合に、熱の発散が速やかに行なわれないことによって、外装部２０の上部が危険なまでの高温に達することを、回避できる。
【００３９】
なお、熱は、下方に伝わりにくい。したがって、ヒータ８０による加熱時に発生した熱をより効率よく下方に導くためには、熱伝導板９９の上端は、ヒータ８０の下端と同じ高さにあるか、または、図１０に示すようにヒータ８０の下端よりも高い位置にあることが好ましい。そして、熱伝導板９９の下端は、ヒータ８０の下端よりも低い位置にあることが好ましい。
【００４０】
次に、図１１を参照しつつ、電子レンジ１００における、フィルタカバー５０の開閉態様について説明する。図１１は、制御部９０の実行するカバー開閉制御処理のフローチャートである。
【００４１】
カバー開閉制御処理で、制御部９０は、まず、Ｓ１で、電子レンジ１００がデモモードに設定されているか否かを判断する。ここで、電子レンジ１００におけるモードについて説明する。
【００４２】
電子レンジ１００は、調理モードとデモモードの２つのモード設定が可能である。調理モードでは、電子レンジ１００は、マグネトロン２２やヒータ８０を用いた加熱調理が可能である。一方、デモモードでは、電子レンジ１００は、操作パネル３４において加熱調理を開始するような操作がなされても、上記の加熱調理ができない状態となる。つまり、デモモードは、電子レンジ１００における加熱調理についての機能を使用しないモードであり、一般に、店頭等で、たとえば赤外線センサユニット１の温度測定機能等の、加熱機能以外の機能のデモンストレーションを行なう場合に、設定されるモードである。このようなことから、調理モードに設定される場合には、電子レンジ１００は、一般家庭で使用されると考えられるが、デモモードに設定される場合には、電子レンジ１００は、店頭において専門の販売員に、または、専門の販売員の立ち会いの下で、使用されることになる。
【００４３】
そして、制御部９０は、Ｓ１で、デモモードに設定されていると判断すると、Ｓ９に進み、そうではないと、すなわち、調理モードに設定されていると判断すると、Ｓ２に進む。
【００４４】
Ｓ２で、制御部９０は、フィルタカバー５０を閉状態として、Ｓ３に進む。
Ｓ３で、制御部９０は、操作パネル３４において、赤外線センサユニット１を用いた食品１７の温度の検出を行なう調理コース（以下、センサコース、と省略する）が選択されたか否かを判断する。そして、センサコースが選択されたと判断すると、Ｓ４に進み、それ以外のコースが選択されたと判断すると、Ｓ７に進む。ここで、それ以外のコースとは、たとえば、加熱強度と加熱時間がユーザにより指定され、調理において食品１７の温度の検出が必要の無い調理コースを挙げることができる。
【００４５】
Ｓ４で、制御部９０は、操作パネル３４において調理の開始を指定する操作が行なわれるまで、待機する。そして、そのような操作が行なわれたと判断すると、Ｓ５に進む。Ｓ５で、制御部９０は、Ｓ４で操作が行なわれたと判断したときに、ドア１５が閉じられていたか否かを判断する。ドア１５が閉じられていたと判断すると、Ｓ６に進み、そうではないと判断すると、Ｓ４に戻り、再度、操作の開始を指定する操作を待つ。
【００４６】
Ｓ６で、制御部９０は、フィルタカバー５０を開状態として、Ｓ７に進む。なお、このとき、つまり、カバー開閉制御処理においてＳ６の処理が実行されるとき、電子レンジ１００では、加熱調理も開始される。
【００４７】
Ｓ７で、制御部９０は、加熱調理が終了するまで待機する。そして、加熱調理が終了したと判断すると、Ｓ８に進み、フィルタカバー５０を閉状態として、カバー開閉制御処理を終了する。
【００４８】
なお、上述したように、電子レンジ１００は、ドア１５が開いている場合には、加熱調理ができないように構成されている。つまり、電子レンジ１００では、調理モードにおいては、ドア１５が開いている場合には、フィルタカバー５０は閉状態とされている。
【００４９】
一般家庭において、ユーザが、清掃等のために、ドア１５を開状態として、加熱室１７内に手を入れる場合がある。電子レンジ１００では、上記のようにドア１５が開いている場合には、フィルタカバー５０は、閉状態とされている。これにより、ユーザが、誤って、検出孔１９，８５（図５参照）を介して、フィルタ４１に触れることを回避できる。したがって、フィルタ４１が、ユーザの手に付着した油脂等により汚され、赤外線センサユニット１を用いた食品１７の温度の検出が正確にできなくなることを回避できる。
【００５０】
一方、制御部９０は、Ｓ９で、フィルタカバー５０を開状態として、Ｓ１０で、電子レンジ１００におけるデモモードでの運転が終了するまで待機する。この場合、制御部９０は、カバー開閉制御処理と平行して、電子レンジ１００をデモモードで運転させる処理を行なっている。そして、デモモードでの運転が終了したと判断すると、Ｓ８でフィルタカバー９を閉状態として、カバー開閉制御処理を終了する。
【００５１】
Ｓ９およびＳ１０の処理により、電子レンジ１００は、デモモードに設定されていれば、フィルタカバー５０は、開状態とされる。これにより、電子レンジ１００の運転が、デモモードで運転される場合、つまり、専門の販売員等、電子レンジ１００を専門的に扱える人の存在下で運転される場合には、フィルタカバー５０は、常に、開状態とされている。これにより、デモモードでは、食品１７を加熱室１７に配置すると、フィルタカバー５０が開状態にされることを待つことなく、つまり、より迅速に、赤外線センサユニット１を用いた食品１７の温度検出を行なうことができる。したがって、電子レンジ１００における食品１７の温度検出のデモンストレーションを、より手際よく、行なうことができる。
【００５２】
なお、デモモードで、調理モードのように、ドア１５が開いている場合にフィルタカバー５０は閉状態にする必要がないのは、このモードでは、電子レンジ１００は、電子レンジ１００を専門的に扱える人の存在下で運転されると考えられるからである。つまり、ユーザが、誤って、検出孔１９，８５を介してフィルタ４１に触れるような事態は、発生しないと考えられるからである。
【００５３】
電子レンジ１００において、調理モードかデモモードのいずれかを設定するような操作は、出荷時に行なわれることが好ましい。つまり、電子レンジ１００は、ユーザがこのような操作をできないように構成されていることが好ましい。
【００５４】
また、電子レンジ１００が、予め、調理モードでしか運転できないように構成されることも可能である。このような場合、制御部９０は、カバー開閉制御処理において、図１２に示すように、Ｓ２〜Ｓ８の処理しか実行しないように、構成されてもよい。
【００５５】
なお、カバー開閉制御処理として、図１２に示す処理がなされた場合、制御部９０は、カバー開閉制御処理の開始と共に、フィルタカバー５０を閉状態とする。なお、カバー開閉制御処理は、電子レンジ１００に電力が供給されたときに、初期化に続いて実行される。これにより、制御部９０は、カバー開閉制御処理として、図１２に示す処理を実行する場合、電子レンジ１００に電力が供給されたことに応じて、フィルタカバー５０を閉状態とすることになる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の一実施の形態である電子レンジの斜視図である。
【図２】図１の電子レンジの内部構造を簡略化して示す断面図である。
【図３】図１の電子レンジの主要な電気的構成を示すブロック図である。
【図４】図１の電子レンジの本体の右側面図である。
【図５】図４の赤外線センサユニット周辺を正面から見た場合の拡大図である。
【図６】図４の赤外線センサユニットの正面図である。
【図７】図４の赤外線センサユニットの正面図である。
【図８】図４のセンサケースの分解正面図である。
【図９】図４のセンサケースの正面図である。
【図１０】図１の電子レンジの左側面図である。
【図１１】図３の制御部の実行するカバー開閉制御処理のフローチャートである。
【図１２】図１１のカバー開閉制御処理の変形例のフローチャートである。
【符号の説明】
１  赤外線センサユニット、１７  加熱室、２２  マグネトロン、４１  フィルタ、４５  赤外線センサ、５０  フィルタカバー、８０  ヒータ、９９  熱伝導板。
【図１】
0003619723.tif 000002
【図２】
0003619723.tif 000003
【図３】
0003619723.tif 000004
【図４】
0003619723.tif 000005
【図５】
0003619723.tif 000006
【図６】
0003619723.tif 000007
【図７】
0003619723.tif 000008
【図８】
0003619723.tif 000009
【図９】
0003619723.tif 000010
【図１０】
0003619723.tif 000011
【図１１】
0003619723.tif 000012
【図１２】
0003619723.tif 000013